(57)【要約】【課題】配信用コンテンツの再生予約を行ったユーザがログアウトした場合に、その再生予約に起因して実行される各種処理が配信用コンテンツの再生を所望せずに通常コンテンツを楽しむ他のユーザの妨げになるのを防ぐ。【解決手段】予約アプリケーションの予告情報を報知する時刻になった場合に予約アプリケーションの予約者がログイン中であるときには、この予約アプリケーションに対応する予告情報をＨＤＤから読み出して楽曲再生部に再生させ、再生開始時刻になったら、予約アプリケーションをＨＤＤから読み出して楽曲再生部に再生させる。一方、予約アプリケーションの予約者がログイン中ではなく、既にログアウトしている場合には、予告情報の再生を行わない。もちろん、予約アプリケーションの再生を行わない。【選択図】図２
2010237289.tif 000002
【特許請求の範囲】
【請求項１】
各種コンテンツを再生可能な一つ以上のコンテンツ再生装置と、前記コンテンツ再生装置を操作するためにユーザが入力操作する入力機能を有するリモコン端末と、前記コンテンツ再生装置および前記リモコン端末を操作する登録ユーザの認証を行う認証サーバと、を備え、前記リモコン端末と前記認証サーバとは第１ネットワークを介してデータの送受信が可能であり、前記リモコン端末と前記コンテンツ再生装置とは第２ネットワークを介してデータの送受信が可能であり、前記コンテンツ再生装置が、配信用コンテンツを配信可能な外部の配信サーバと第３ネットワークを介してデータの送受信が可能であるコンテンツ再生システムであって、
前記配信サーバは、
通常コンテンツと、再生を開始する時刻を示す再生開始時刻情報を含む配信用コンテンツとを前記コンテンツ再生装置に予め送信するコンテンツ配信手段を備え、
前記認証サーバは、
登録ユーザに関する情報を記憶する登録ユーザ記憶手段と、
前記登録ユーザ記憶手段に記憶される登録ユーザに関する情報を参照して、当該システムへのログインまたは当該システムからのログアウトを前記リモコン端末を介して要求するユーザへの認証を行う認証手段と、を備え、
前記コンテンツ再生装置は、
前記配信サーバから配信される通常コンテンツおよび配信用コンテンツを記憶するコンテンツ記憶手段と、
前記コンテンツ記憶手段から通常コンテンツまたは配信用コンテンツを読み出して再生可能であり、前記再生開始時刻情報から対応する配信用コンテンツの再生開始を予告する旨の予告情報を再生する時刻である予告情報報知時刻を特定し、その特定した予告情報報知時刻に当該予告情報を再生可能なコンテンツ再生手段と、
ログイン中の登録ユーザによる配信用コンテンツの再生予約を受け付け可能な予約受付手段と、
前記予約受付手段が配信用コンテンツの再生予約を受け付けた場合に、当該配信用コンテンツに対応する予告情報報知時刻になったか否かを判断し、前記予告情報報知時刻になった場合には、配信用コンテンツを予約した登録ユーザがログイン中であるか否かを知らせるよう前記リモコン端末に要求するログイン状況要求手段と、を備え、
前記リモコン端末は、さらに、
前記コンテンツ再生装置の前記ログイン状況要求手段からの要求に対して、登録ユーザのログイン状況を示す情報を返信するログイン状況返信手段を備え、
前記コンテンツ再生装置は、さらに、
前記リモコン端末の前記ログイン状況返信手段から返信された情報に基づき、配信用コンテンツを予約した登録ユーザがログイン中であるか否かを判断し、前記配信用コンテンツを予約した登録ユーザがログイン中である場合には、前記予告情報を前記コンテンツ再生手段に再生させ、さらに、前記再生開始時刻になったら、通常コンテンツの再生中であるときにはその再生を停止させるとともに前記配信用コンテンツを前記コンテンツ記憶手段から読み出して前記コンテンツ再生手段に再生させ、一方、配信用コンテンツを予約した登録ユーザがログイン中ではない場合には、前記予告情報を前記コンテンツ再生手段に再生させず、通常コンテンツの再生中であるときには前記再生開始時刻になってもその再生を前記コンテンツ再生手段に継続させて前記配信用コンテンツを前記コンテンツ再生手段に再生させない再生制御手段を備えること
を特徴とするコンテンツ再生システム。
【請求項２】
各種コンテンツを再生可能な一つ以上のコンテンツ再生装置と、前記コンテンツ再生装置を操作するためにユーザが入力操作する入力機能を有するリモコン端末と、前記コンテンツ再生装置および前記リモコン端末を操作する登録ユーザの認証を行う認証サーバと、を備え、前記リモコン端末と前記認証サーバとは第１ネットワークを介してデータの送受信が可能であり、前記リモコン端末と前記コンテンツ再生装置とは第２ネットワークを介してデータの送受信が可能であり、前記コンテンツ再生装置が、配信用コンテンツを配信可能な外部の配信サーバと第３ネットワークを介してデータの送受信が可能であり、前記配信サーバは、通常コンテンツと、再生を開始する時刻を示す再生開始時刻情報を含む配信用コンテンツとを前記コンテンツ再生装置に予め送信するコンテンツ配信手段を備え、前記認証サーバは、登録ユーザに関する情報を記憶する登録ユーザ記憶手段と、前記登録ユーザ記憶手段に記憶される登録ユーザに関する情報を参照して、当該システムへのログインまたは当該システムからのログアウトを前記リモコン端末を介して要求するユーザへの認証を行う認証手段と、を備え、前記リモコン端末は、前記コンテンツ再生装置からの要求に対して、登録ユーザのログイン状況を示す情報を返信するログイン状況返信手段を備えるコンテンツ再生システムに用いられる前記コンテンツ再生装置であって、
前記配信サーバから配信される通常コンテンツおよび配信用コンテンツを記憶するコンテンツ記憶手段と、
前記コンテンツ記憶手段から通常コンテンツまたは配信用コンテンツを読み出して再生可能であり、前記再生開始時刻情報から対応する配信用コンテンツの再生開始を予告する旨の予告情報を再生する時刻である予告情報報知時刻を特定し、その特定した予告情報報知時刻に当該予告情報を再生可能なコンテンツ再生手段と、
ログイン中の登録ユーザによる配信用コンテンツの再生予約を受け付け可能な予約受付手段と、
前記予約受付手段が配信用コンテンツの再生予約を受け付けた場合に、当該配信用コンテンツに対応する予告情報報知時刻になったか否かを判断し、前記予告情報報知時刻になった場合には、配信用コンテンツを予約した登録ユーザがログイン中であるか否かを知らせるよう前記リモコン端末に要求するログイン状況要求手段と、
前記リモコン端末の前記ログイン状況返信手段から返信された情報に基づき、配信用コンテンツを予約した登録ユーザがログイン中であるか否かを判断し、前記配信用コンテンツを予約した登録ユーザがログイン中である場合には、前記予告情報を前記コンテンツ再生手段に再生させ、さらに、前記再生開始時刻になったら、通常コンテンツの再生中であるときにはその再生を停止させるとともに前記配信用コンテンツを前記コンテンツ記憶手段から読み出して前記コンテンツ再生手段に再生させ、一方、配信用コンテンツを予約した登録ユーザがログイン中ではない場合には、前記予告情報を前記コンテンツ再生手段に再生させず、通常コンテンツの再生中であるときには前記再生開始時刻になってもその再生を前記コンテンツ再生手段に継続させて前記配信用コンテンツを前記コンテンツ再生手段に再生させない再生制御手段と、
を備えることを特徴とするコンテンツ再生装置。
【請求項３】
請求項２に記載のコンテンツ再生装置において、
配信用コンテンツを予約した登録ユーザがログイン中ではない場合には、その旨を示す情報を前記配信サーバに送信するログアウト送信手段を備えることを特徴とするコンテンツ再生装置。
【発明の詳細な説明】
【技術分野】
【０００１】
本発明は、設定された時刻になったら再生される配信用コンテンツを再生する技術に関する。
【背景技術】
【０００２】
従来より、リモコンからカラオケシステムへログイン認証することで、特別なカラオケ曲などのコンテンツを再生可能にするカラオケ装置が知られている。
更に、この種のカラオケ装置の中には、ログイン認証したユーザのために配信され、設定された時刻になったら上述の特別な曲（以下、タイマー曲）を再生可能なカラオケ装置がある。具体的には、上述のカラオケ装置では、ログイン中のユーザによる通常の予約順に再生される曲（以下、カラオケ曲）の再生予約に加え、タイマー曲の再生予約も受け付けておき、カラオケ曲の再生中に曲の演奏開始時刻になったら、演奏中のカラオケ曲の再生を中断して、タイマー曲の再生を行う。
【０００３】
また、特許文献１には、曲の演奏開始時刻が近づいたら再生中のカラオケ曲を途中で一旦停止するとともに演奏開始時刻から曲を再生しても良いか否かを利用者に確認する内容を示す確認画面をモニタなどに表示させる技術が開示されている。
【先行技術文献】
【特許文献】
【０００４】
【特許文献１】特開２００８−１１６７１９号公報（第１３〜１４頁、図８）
【発明の概要】
【発明が解決しようとする課題】
【０００５】
しかし、ログインおよびログアウトの管理（以下、認証）を行う認証サーバも備えるカラオケシステムにおいて、タイマー曲を再生するカラオケ装置を介さずに、認証サーバと認証を行う場合、上述のような特許文献１に開示される技術を適用してタイマー曲をログインしたユーザによって予約再生する場合には、次のような問題があった。すなわち、複数のユーザが同じカラオケルームの中でカラオケを楽しんでいるときに、タイマー曲の再生予約を行ったユーザは、当然のことながら予約したタイマー曲の再生開始を楽しみにしているが、他のユーザもそのタイマー曲の再生を楽しみにしているとは限らない。このような状況において、タイマー曲の演奏開始時刻が近づいた際に、タイマー曲の再生予約を行ったユーザが既にログアウトしていることがある。このような場合でも、再生中のカラオケ曲を途中で一旦停止するとともに確認画面がモニタなどに表示されるが、このことは、そのタイマー曲の再生を所望せずにカラオケを楽しむ他のユーザの妨げになっていた。
【０００６】
本発明は、このような課題に鑑みなされたものであり、その目的とするところは、タイマー曲などの予約コンテンツ（以下、予約コンテンツ）の再生予約を行ったユーザがログアウトした場合に、その再生予約に起因して実行される各種処理が予約コンテンツの再生を所望せずに通常コンテンツを楽しむ他のユーザの妨げになるのを防ぐことにある。
【課題を解決するための手段】
【０００７】
上記課題を解決するためになされた請求項１に係るコンテンツ再生システムは、各種コンテンツを再生可能なコンテンツ再生装置と、コンテンツ再生装置を操作するためにユーザが入力操作する入力機能を有するリモコン端末と、コンテンツ再生装置およびリモコン端末を操作する登録ユーザの認証を行う認証サーバと、を備える。
【０００８】
なお、リモコン端末（図２参照）と認証サーバとは第１ネットワークを介してデータの送受信が可能である。また、リモコン端末とコンテンツ再生装置とは第２ネットワークを介してデータの送受信が可能である。また、コンテンツ再生装置は、配信用コンテンツを配信可能な外部の配信サーバと第３ネットワークを介してデータの送受信が可能である。
【０００９】
このうちの配信サーバは、コンテンツ送信手段を備える。コンテンツ配信手段は、通常コンテンツと、再生を開始する時刻を示す再生開始時刻情報を含む配信用コンテンツとを前記コンテンツ再生装置に予め送信する。
【００１０】
また、認証サーバは、登録ユーザ記憶手段と、認証手段と、を備える。登録ユーザ記憶手段は、登録ユーザに関する情報を記憶する。そして、認証手段は、登録ユーザ記憶手段に記憶される登録ユーザに関する情報を参照して、当該システムへのログインまたは当該システムからのログアウトをリモコン端末を介して要求するユーザへの認証を行う。
【００１１】
また、コンテンツ再生装置は、コンテンツ記憶手段と、コンテンツ再生手段と、予約受付手段と、ログイン状況要求手段と、再生制御手段と、を備える。
コンテンツ記憶手段は、配信サーバから配信される通常コンテンツおよび配信用コンテンツを記憶する。また、コンテンツ再生手段は、コンテンツ記憶手段から通常コンテンツまたは配信用コンテンツを読み出して再生可能である。また、コンテンツ再生手段は、再生開始時刻情報から対応する配信用コンテンツの再生開始を予告する旨の予告情報を再生する時刻である予告情報報知時刻を特定し、その特定した予告情報報知時刻に当該予告情報を再生可能である。また、予約受付手段は、ログイン中の登録ユーザによる配信用コンテンツの再生予約を受け付け可能である。
【００１２】
そして、ログイン状況要求手段は、予約受付手段が配信用コンテンツの再生予約を受け付けた場合に、当該配信用コンテンツに対応する予告情報報知時刻になったか否かを判断し、予告情報報知時刻になった場合には、配信用コンテンツを予約した登録ユーザがログイン中であるか否かを知らせるようリモコン端末に要求する。
【００１３】
これに対して、リモコン端末のログイン状況返信手段は、コンテンツ再生装置のログイン状況要求手段からの要求に対して、登録ユーザのログイン状況を示す情報を返信する。
これに対して、コンテンツ再生装置の再生制御手段は、リモコン端末のログイン状況返信手段から返信された情報に基づき、配信用コンテンツを予約した登録ユーザがログイン中であるか否かを判断し、配信用コンテンツを予約した登録ユーザがログイン中である場合には、予告情報を前記コンテンツ再生手段に再生させ、さらに、再生開始時刻になったら、通常コンテンツの再生中であるときにはその再生を停止させるとともに配信用コンテンツをコンテンツ記憶手段から読み出して前記コンテンツ再生手段に再生させる。一方、配信用コンテンツを予約した登録ユーザがログイン中ではない場合には、再生制御手段は、予告情報をコンテンツ再生手段に再生させず、通常コンテンツの再生中であるときには再生開始時刻になってもその再生を前記コンテンツ再生手段に継続させて配信用コンテンツをコンテンツ再生手段に再生させない。
【００１４】
このように構成された本発明のコンテンツ再生システムによれば、配信用コンテンツの再生予約を行ったユーザがログアウトした場合に、その再生予約に起因して実行される各種処理が配信用コンテンツの再生を所望せずに通常コンテンツを楽しむ他のユーザの妨げになるのを防ぐことができる。
【００１５】
また、本発明のコンテンツ再生システムによれば、登録ユーザがログイン中であっても予告情報を表示してから再生コンテンツを再生するので、予告情報の表示期間中に、登録ユーザが他のユーザに対して、表示中の予告情報を用いて再生コンテンツの再生開始を説明をする機会が与えられる。よって、それまで通常コンテンツを視聴して楽しんでいた他のユーザの妨げとなる可能性は、再生開始時刻に突然と配信コンテンツが再生される場合に比べて、低くなる。
【００１６】
なお、本発明は、請求項１に係るコンテンツ再生システムに用いられるコンテンツ再生装置としても実現可能である（請求項２）。
ところで、配信用コンテンツを予約した登録ユーザが既にログアウトしている場合には、その旨を配信サーバに連絡するようにするとよい。具体的には、請求項３のように、配信用コンテンツを予約した登録ユーザがログイン中ではない場合には、その旨を示す情報を配信サーバに送信するログアウト送信手段を備えることが考えられる。
【００１７】
このように構成すれば、配信サーバ側が、配信用コンテンツの配信を希望したにも拘らず配信時に視聴しないユーザ（不参加者）を把握することができる。そして、例えば、参加状況に即した表示を配信用コンテンツに含めて配信するといった具合に、参加状況を反映させた処理を実行することができる。
【図面の簡単な説明】
【００１８】
【図１】カラオケネットワークシステムの概略構成を示すブロック図である。
【図２】カラオケネットワークシステムの各構成が実行する各種処理を示すタイムチャートである。
【図３】カラオケ装置が実行するメイン処理を示すフローチャートである。
【発明を実施するための形態】
【００１９】
以下に本発明の実施形態を図面とともに説明する。
［１．カラオケネットワークシステム１の構成の説明］
図１に示すように、コンテンツ再生システムとしてのカラオケネットワークシステム１は、１つ以上のリモコン端末２０と認証サーバ３０とがＬＡＮとインターネット（第１ネットワーク）を介してデータの送受信が可能に接続され、カラオケ装置１０とリモコン端末２０とがカラオケルームに設置されるＬＡＮ（第２ネットワーク）を介してデータの送受信が可能に接続される。なお、図１ではカラオケ装置１０が一つのみ図示されている。
【００２０】
また、カラオケ装置１０は、配信サーバとしての外部のアプリケーションサーバ４０とインターネット（第３ネットワーク）を介してデータの送受信が可能に接続されている。
なお、インターネットとＬＡＮとは図示しないルータで接続されている。また、カラオケ装置１０、リモコン端末２０および認証サーバ３０は、相互の識別情報（ＩＰアドレスなど）を予め記憶して通信対象を特定しており、ＬＡＮ、インターネットを介して互いに通信するようになっている。なお、ＬＡＮは有線方式であっても無線方式であってもよい。
【００２１】
［１．１．カラオケ装置１０の構成の説明］
コンテンツ再生装置としてのカラオケ装置１０は、各種映像の表示を行う表示部１１，装置全体を制御する制御部１２，楽曲データ（通常コンテンツ）の再生（カラオケ演奏）を行う楽曲再生部１３，複数のキー・スイッチなどからなる操作部１４，インターネットやＬＡＮを介した通信を制御する通信部１５，演奏楽曲の伴奏内容および歌詞を示す一つ以上の楽曲データなどを記憶するＨＤＤ１６などを備える。このカラオケ装置１０は、カラオケ楽曲を再生する機能を有する。
【００２２】
また、表示部１１は図示しないＴＶなどを有し、歌詞テロップや背景画像を表示可能である。また、楽曲再生部１３は、図示しないマイクやＭＩＤＩ再生部、アンプ、スピーカを含み、楽曲データをカラオケ演奏するとともにマイクから入力された歌唱音声を出力する。また、制御部１２はＣＰＵやＲＯＭ、ＲＡＭなどから構成され、装置全体を制御する。
【００２３】
また、制御部１２は、図２に示すように、リモコン端末２０からのカラオケ楽曲の予約および予約アプリケーションの予約を受け付け、ＲＡＭが記憶する予約リスト（図示省略）に登録する。そして、制御部１２は、予約リストに登録された順にカラオケ楽曲や予約アプリケーションの再生を楽曲再生部１３に実行させる。なお、カラオケ楽曲に対応する楽曲データについては、ＨＤＤ１６から読み出す。また、予約アプリケーションについては、再生開始時間後にアプリケーションサーバ４０からリアルタイムで配信される。
【００２４】
また、制御部１２は、アプリケーションサーバ４０から楽曲データや予告情報が配信されたら、配信された楽曲データや予告情報をＨＤＤ１６に記憶しておく。
なお、ＨＤＤ１６はコンテンツ記憶手段に該当する。また、楽曲再生部１３はコンテンツ再生手段に該当する。また、制御部１２は、予約受付手段、ログイン状況要求手段、再生制御手段およびログアウト送信手段に該当する。
【００２５】
［１．２．リモコン端末２０の構成の説明］
図１に示すように、リモコン端末２０は、各種情報の表示を行う表示部２１，装置全体を制御する制御部２２，複数のキー・スイッチなどからなる操作部２３，ＬＡＮ、インターネットを介した通信を制御する通信部２４，各種情報を記憶する不揮発性メモリ２５などを備え、情報表示機能およびユーザが入力操作する入力機能を有する。また、制御部２２は、図２に示すように、ユーザによる入力操作に基づき、当該カラオケネットワークシステム１へのログインまたは当該カラオケネットワークシステム１からのログアウトを要求するユーザへの認証を認証サーバ３０へ要求する。
【００２６】
また、制御部２２は、ユーザから入力されたユーザ認証情報（ユーザＩＤ、パスワードなど）を認証サーバ３０にログイン通知し、認証サーバ３０で予め記憶したユーザ認証情報と比較して、一致、不一致に応じたログイン応答（成功／不成功）を送付する。
【００２７】
つまり、このログイン認証を行うことで、リモコン端末２０はユーザが登録ユーザであり、ログイン状況として、ログイン完了してログイン中であること、もしくはユーザが未登録ユーザ（以下、ゲスト）であること、を識別する。
【００２８】
同様に、ログイン中の登録ユーザがユーザログアウト操作すると、制御部２２は、認証サーバ３０にユーザＩＤととともにログアウト通知を実行し、前記ユーザＩＤに対応付けられたログアウト応答（成功）によって、登録ユーザがログアウトしたことを識別する。
【００２９】
なお、登録ユーザのログイン状況（ログイン中、ログアウト）については、ユーザＩＤと対応付けて不揮発性メモリ２５に記憶され、制御部２２によって逐次更新される。
また、制御部２２は、ユーザによる入力操作に基づき、カラオケ楽曲の予約および予約アプリケーションの予約をカラオケ装置１０に要求するときには予約種別（カラオケ曲の曲番号、又はアプリケーションのアプリ番号）と、ユーザ種別（登録ユーザ：ユーザＩＤ、未登録ユーザ：ゲスト）とを対応付けてカラオケ装置１０に送付する。カラオケ装置１０側からの予め定められたユーザ種別に応じた予約応答（成功／不成功）を受信して要求が受け付けられたことを知る。
【００３０】
なお、予め定められた条件として、本実施例では、予約種別がカラオケ曲の曲番号であれば、カラオケ装置はユーザ種別に関わらず予約を受け付け、予約アプリケーションのアプリ番号であれば、登録ユーザのみ予約を受け付ける（登録ユーザ：予約応答成功、ゲスト：不成功）としている。
【００３１】
なお、予約アプリケーションが登録ユーザのみ予約を付けることは、アプリケーションサーバ４０側で予約アプリケーションに予め登録ユーザ用である情報を加えて配信し、カラオケ装置側で配信されて記憶するときに前記情報を抽出できた場合は、前記予約アプリケーションは登録ユーザのみ予約を受け付ける、とすることで実施できる。
【００３２】
また、制御部２２は、カラオケ装置１０からの要求に対して、登録ユーザのログイン状況を示す情報を返信する。
なお、制御部２２はログイン状況返信手段に該当する。
【００３３】
［１．３．認証サーバ３０の構成の説明］
図１に示すように、認証サーバ３０は、周知のコンピュータシステムからなり、インターネットを介した通信を制御する通信部３１，各種情報を記憶するＨＤＤ３２，サーバ全体を制御する制御部３３などを備える。
【００３４】
この認証サーバ３０は、登録ユーザに対して認証を行う機能を有する。具体的には、ＨＤＤ３２は、登録ユーザに関する情報を記憶する。そして、制御部３３は、図２に示すように、ＨＤＤ３２に記憶される登録ユーザに関する情報を参照して、当該カラオケネットワークシステム１へのログインまたは当該カラオケネットワークシステム１からのログアウトをリモコン端末２０を介して要求するユーザへの認証を行う。
【００３５】
なお、ＨＤＤ３２は登録ユーザ記憶手段に該当する。また、制御部３３は認証手段に該当する。
［１．４．アプリケーションサーバ４０の構成の説明］
図１に示すように、アプリケーションサーバ４０は、周知のコンピュータシステムからなり、インターネットを介した通信を制御する通信部４１，各種情報を記憶するＨＤＤ４２，サーバ全体を制御する制御部４３などを備える。
【００３６】
このアプリケーションサーバ４０は、再生開始時刻情報が含まれた予約アプリケーション（配信用コンテンツ）をカラオケ装置１０に対して配信する機能を有する。具体的には、まず、制御部４３は、図２に示すように、予約アプリケーションをカラオケ装置１０に予め送信する。
【００３７】
なお、予約アプリケーションとは、例えば、予約アプリケーションが配信されたカラオケ装置側で再生開始時刻になったら、一斉に設定された曲再生と歌唱採点を行い、採点結果をアプリケーションサーバ４０に送信して、全国一斉に設定曲採点するようなアプリケーションである。
【００３８】
また、制御部４３は、予約順に順次再生する楽曲データ（カラオケ曲）を予めカラオケ装置１０に配信する機能も有する。
なお、制御部４３は、コンテンツ配信手段に該当する。
【００３９】
［２．カラオケ装置１０のメイン処理の説明］
次に、カラオケ装置１０が実行するメイン処理を、図２および図３のフローチャートを参照して説明する。
【００４０】
まず、Ｓ１０５では、曲予約を実行する。具体的には、リモコン端末２０からのカラオケ楽曲の予約および予約アプリケーションの予約を受け付け、ＲＡＭが記憶する予約リスト（図示省略）に登録する。
【００４１】
続くＳ１１０では、曲再生を開始する。具体的には、予約リストに登録された順にカラオケ楽曲や予約アプリケーションの再生を楽曲再生部１３に実行させる。なお、カラオケ楽曲に対応する楽曲データについては、ＨＤＤ１６から読み出す。また、予約アプリケーションの再生については後述する。
【００４２】
続くＳ１１５では、予約アプリケーションが予約されているか否かを判断する。具体的には、予約リストに予約アプリケーションが予約登録されているか否かを判断する。
予約アプリケーションが予約されていない場合には（Ｓ１１５：ＮＯ）、Ｓ１０５に戻る。一方、予約アプリケーションが予約されている場合には（Ｓ１１５：ＹＥＳ）、Ｓ１２０に移行する。
【００４３】
Ｓ１２０では、予約アプリケーションの予告情報の表示を開始する時刻であるか否かを判断する。具体的には、予約アプリケーションごとに設定される、予約アプリケーションを記憶した時点で前記予約アプリケーションの再生を開始する時刻である再生開始時刻を予約アプリケーションから抽出し、予め設定した予告する時間長（例えば、１５分）を再生開始時刻から差し引いた（例えば、再生開始時刻よりも１５分前の時間）時刻と、内蔵する計時手段（図示省略）が示す時刻とを比較することで上記判断を実行する。
【００４４】
予約アプリケーションの実行を開始する時刻ではない場合には（Ｓ１２０：ＮＯ）、Ｓ１０５に戻る。一方、予約アプリケーションの実行を開始する時刻である場合には（Ｓ１２０：ＹＥＳ）、Ｓ１２５に移行する。
【００４５】
Ｓ１２５では、ログイン状況を確認する。具体的には、予約アプリケーションを予約した登録ユーザがログイン中であるか否かを知らせるようリモコン端末２０に要求する。
続くＳ１３０では、予約アプリケーションの予約者がログイン中であるか否かを判断する。この判断は、Ｓ１２５で行った要求に対するリモコン端末２０からの返信内容に基づき行われる。
【００４６】
予約アプリケーションの予約者がログイン中ではなく、既にログアウトしている場合には（Ｓ１３０：ＮＯ）、予告情報の表示を行わず、予約アプリケーションを実行せずにＳ１０５に移行する。
【００４７】
一方、予約アプリケーションの予約者がログイン中である場合には（Ｓ１３０：ＹＥＳ）、この予約アプリケーションに対応する予告情報をＨＤＤ１６から読み出して楽曲再生部１３に再生させ（Ｓ１３５）、Ｓ１４０に移行する。
【００４８】
なお、上述の予約アプリケーションに対応する予告情報は、予約アプリケーションが予約されたときに、その予約アプリケーションの名称など予約アプリケーションを特定する情報を予告情報の雛型に合成することで作成されてＨＤＤ１６に記憶される。また、上述の予約アプリケーションに対応する予告情報については、予約アプリケーションに予め含まれるようにしてもよい。なお、上記合成については、雛形をテンプレートとして予告情報を入力するようにしてもよい。
【００４９】
Ｓ１４０では、再生開始時間になるとタイマー曲である予約アプリケーションを実行する。具体的には、予約アプリケーションの予約者がログイン中である場合には、予約アプリケーション記憶手段から読み出して楽曲再生部１３に再生させる。
【００５０】
続くＳ１４５では、Ｓ１４０におけるアプリケーションの実行結果を通知する。具体的には、例えば、タイマー曲を歌唱採点した情報をアプリケーションサーバ４０に送信する。
【００５１】
そして、リターンする。
［３．本実施形態の効果］
（１）このように本実施形態のカラオケネットワークシステム１によれば、再生開始時刻になったときに予約アプリケーションの予約者が既にログアウトしていた場合には、予告情報の再生を実行しないので、登録ユーザと未登録ユーザとによるカラオケ曲などの通常コンテンツの予約が混在し、予約したカラオケ曲が順次再生されている最中に登録ユーザによる予約に起因して実行されるタイマー曲の予告情報やタイマー曲の再生などの各種処理が予約アプリケーションの再生を所望せずに予約順に再生されるカラオケ楽曲などの通常コンテンツを楽しむ他のユーザの妨げになるのを防ぐことができる。
【００５２】
一例として説明した採点アプリの場合は、通常コンテンツを楽しむ他のユーザが誤って歌唱して登録ユーザの歌唱として採点されなくなるので、アプリの誤った結果による登録ユーザの妨げになるのを防ぐことができる
（２）また、本実施形態のカラオケネットワークシステム１によれば、再生開始時刻になったときに予約アプリケーションの予約者が既にログアウトした場合には、その旨をアプリケーションサーバ４０に連絡するので、アプリケーションサーバ４０側が、予約アプリケーションの予約再生を希望したにも拘らず再生時に視聴しないユーザ（不参加者）を把握することができる。
【００５３】
よって、一例として説明した採点アプリの場合は、通常コンテンツを楽しむ他のユーザが誤って歌唱して登録ユーザの歌唱としてアプリケーションサーバ４０が歌唱採点しないので、通常コンテンツの採点を楽しむ他のユーザや登録ユーザの採点が誤って採点される（アプリ結果が誤ってアプリケーションサーバ４０に連絡される）妨げになるのを防ぐことができる。
【００５４】
そして、例えば、参加状況に即した表示を予約アプリケーションに含めて配信するといった具合に、参加状況を反映させた処理を実行することができる。
［４．他の実施形態］
以上、本発明の一実施形態について説明したが、本発明は上記実施形態に限定されるものではなく、以下のような様々な態様にて実施することが可能である。
【００５５】
（１）上記実施形態では、ログイン状況を確認する際には、予約アプリケーションを予約した登録ユーザがログイン中であるか否かを知らせるようリモコン端末２０に要求するが、これには限られず、登録ユーザのログイン状況を把握しているアプリケーションサーバ４０に対して当該要求を行うようにしてもよい。
【符号の説明】
【００５６】
１…カラオケネットワークシステム、１０…カラオケ装置、１１…表示部、１２…制御部、１３…楽曲再生部、１４…操作部、１５…通信部、１６…ＨＤＤ、２０…リモコン端末、２１…表示部、２２…制御部、２３…操作部、２４…通信部、２５…不揮発性メモリ、３０…認証サーバ、３１…通信部、３２…ＨＤＤ、３３…制御部、４０…アプリケーションサーバ、４１…通信部、４２…ＨＤＤ、４３…制御部
【図１】
2010237289.tif 000003
【図２】
2010237289.tif 000004
【図３】
2010237289.tif 000005